(57)【特許請求の範囲】
【請求項１】
冷凍機に供給する冷却水を冷却するためのファンを備えた冷却塔を有し、当該冷却塔を複数個並べて形成した冷却塔群を用いた冷却塔群の省エネルギー運転方法において、
前記冷却塔群における前記複数個並べられた冷却塔のうち、任意の２基の冷却塔に流入する冷却水の流量を計測し、前記任意の２基の冷却塔について当該流量値に応じたファンの回転数制御入力値をそれぞれ演算し、
横軸に前記流量値、縦軸に前記ファン回転数制御入力値をとり、前記２基の冷却塔のこれらの値の交点を結んで比例直線を形成した座標を設け、前記任意の２基の冷却塔の流量値の差を当該２基の冷却塔の間の、冷却塔の数＋１で割って隣接する冷却塔間の流量差を算出し、当該流量差によって前記冷却塔群の前記任意の２基の冷却塔以外の各冷却塔の流量値を算出し、当該各流量値を前記座標の比例直線に当てはめて各ファン回転数制御入力値を決定することを特徴とする冷却塔群の省エネルギー運転方法。
【請求項２】
前記任意の２基の冷却塔は、前記冷却塔群における前記冷凍機に対して手前（近い）側と奥（遠い）側に配置された冷却塔であることを特徴とする請求項１に記載の冷却塔群の省エネルギー運転方法。
【請求項３】
冷凍機に供給する冷却水を冷却するためのファンを有する冷却塔と、
当該冷却塔を複数個並べて形成された冷却塔群であって、
前記冷却塔の冷却水出口温度を測定する温度計と、
前記冷却塔に流入する冷却水の水圧を計測するための圧力計を冷却塔ごとに備え、
前記複数個の各冷却塔の前記温度計により測定した冷却水出口温度により前記ファンの回転数を冷却塔ごとに制御し、前記圧力計により測定した水圧から定まる前記冷却塔に流入する冷却水流量が所定流量以下の場合に、前記ファンを停止することを特徴とする冷却塔群の省エネルギー運転方法。
【請求項４】
冷凍機に供給する冷却水を冷却するための冷却塔と、
当該冷却塔を複数個並べて形成された冷却塔群であって、
前記冷却塔のうち、任意の２基の冷却塔に流量計が備わり、
前記任意の２基の冷却塔について当該流量値に応じたファンの回転数制御入力値をそれぞれ演算し、横軸に前記流量値、縦軸に前記ファン回転数制御入力値をとり、前記２基の冷却塔のこれらの値の交点を結んで比例直線を形成した座標を設け、前記任意の２基の冷却塔の流量値の差を当該２基の冷却塔の間の、冷却塔の数＋１で割って隣接する冷却塔間の流量差を算出し、当該流量差によって前記冷却塔群の前記任意の２基の冷却塔以外の各冷却塔の流量値を算出し、当該各流量値を前記座標の比例直線に当てはめて各ファン回転数制御入力値を決定する制御装置を備えたことを特徴とする請求項１又は２に記載の冷却塔群の省エネルギー運転方法に用いる冷却塔群。
【請求項５】
冷凍機に供給する冷却水を冷却するためのファンを有する冷却塔と、
当該冷却塔を複数個並べて形成された冷却塔群であって、
前記冷却塔の冷却水出口温度を測定する温度計と、
前記冷却塔に流入する冷却水の水圧を計測するための圧力計を冷却塔ごとに備え、
前記複数個の冷却塔の前記温度計により測定した冷却水出口温度により前記ファンの回転数を冷却塔ごとに制御し、前記圧力計により測定した水圧から定まる前記冷却塔に流入する冷却水流量が所定流量以下の場合に、前記ファンを停止する制御装置を備えたことを特徴とする冷却塔群の省エネルギー運転方法に用いる冷却塔群。
【発明の詳細な説明】
【技術分野】
【０００１】
本発明は、複数台の開放型冷却塔を連結した冷却塔群において、冷却水変流量制御を行った場合におこる、偏流によるファン動力の無駄をなくした冷却塔群の省エネルギー運転方法及びこれに用いる冷却塔群に関するものである。
【背景技術】
【０００２】
複数台の開放型冷却塔を連結した集合型冷却塔群において冷却水の変流量制御を行った場合、冷却塔群に接続される配管抵抗により、冷却水配管の手前（近い）側冷却塔は冷却水量が多く、奥（遠い）側冷却塔は冷却水量が少なくなる傾向が発生する（以後、この現象を偏流という）。特に、少流量になればなるほど偏流の度合いは大きくなる傾向となる。
【０００３】
すなわち、冷凍機に供給する冷却水を冷却するための冷却塔を複数個並べて形成された冷却塔群において、冷凍機の冷却負荷に応じて、冷却塔群に対する冷却水の変流量制御を行うと、冷凍機に対して手前（近い）側と奥（遠い）側の冷却塔に冷却水流量の差が生じる。
【０００４】
また、１つの冷却塔群の長さが長くなるので冷却塔群の水平的据付精度の影響も少なくはない。
【０００５】
すなわち、冷却塔群は複数個の冷却塔を並べて形成するため、各冷却塔が同一の水平線上に設置されていない場合、わずかな傾斜角度であっても両端の冷却塔の設置高さの差は大きくなる。特に、奥側冷却塔が手前側冷却塔に比べて高い場合は、偏流の度合いも大きくなる。
【０００６】
従来、この偏流に対する対策としては、複数の冷却塔群がある場合に各冷却塔群に接続される冷却水の往き及び還り配管に電動バルブを取付け、１つの冷却塔群に流れる冷却水流量がある流量以下にならないように複数の冷却塔群の群数制御を行ってきた。
【０００７】
すなわち、各冷却塔群に流入する冷却水が少流量とならないように、冷却水を流通させる冷却塔群の数を制御して対応していた。
【０００８】
しかし、偏流を防止するうえでは完全ではなく、１つの冷却塔群の手前（近い）と奥（遠い）では何ら偏流の防止にはなっていない。結果、各冷却塔群の冷却水出口温度によって冷却塔ファンの制御を行った場合、無駄な動力消費となり、省エネルギーな最適運転方法とはいえない。
【０００９】
すなわち、冷却塔群の群数制御を行っても、各冷却塔群を構成する個々の冷却塔間では偏流が生じる。したがって、冷却塔群の群数制御を行っても、上述した冷凍機に対して手前（近い）側と奥（遠い）側の冷却塔に生じる流量の差を防止することはできない。このような状況のもとで、各冷却塔群の冷却水出口温度によりファンの回転数制御を行った場合、冷却塔群の各冷却塔に備わるファンは同じ回転数で回転する。したがって、奥（遠い）側の冷却塔においては少ない冷却水流量に対して過剰なファン動力を費やしていることになる。
【００１０】
このような状況のもと、最適なファン動力による冷却塔の運転制御を行う必要がある。
【００１１】
一方、冷却塔の省動力運転制御方法が特許文献１に記載されている。この制御方法は、ある負荷状態での冷却塔の必要な運転能力を冷却塔群への入口水温と外気湿球温度を基にして演算し、定風量で能力制御行わない冷却塔の稼働台数とともに、可変風量機構を持つ能力制御を行う冷却塔の風量を同時に制御するものである。しかし、特許文献１に記載の制御方法は、冷却塔群への入口水温と外気湿球温度を基にして能力制御を行う冷却塔の風量を同時に同一容量で制御するため、冷却塔群を構成する各冷却塔間で発生する偏流に着目してこれに応じて冷却塔ごとにファンの風量の制御を行うものではなく、各冷却塔に流入する冷却水量に応じて最適なファン動力を制御できるものではない。
【００１２】
【特許文献１】特許第２７３６３４８号公報
【発明の開示】
【発明が解決しようとする課題】
【００１３】
本発明は上記従来技術を考慮したものであって、冷却塔群を構成する各冷却塔を流通する冷却水の流量に差が生じる、いわゆる偏流が生じても、各冷却塔においてそれぞれ流量に応じた適切なファン風量を制御し、無駄なファンの運転をなくして省エネルギーを実現する冷却塔群の省エネルギー運転方法及びこれに用いる冷却塔群の提供を目的とするものである。
【課題を解決するための手段】
【００１４】
前記目的を達成するために、請求項１の発明では、冷凍機に供給する冷却水を冷却するためのファンを備えた冷却塔を有し、当該冷却塔を複数個並べて形成した冷却塔群を用いた冷却塔群の省エネルギー運転方法において、前記冷却塔群における前記複数個並べられた冷却塔のうち、任意の２基の冷却塔に流入する冷却水の流量を計測し、前記任意の２基の冷却塔について当該流量値に応じたファンの回転数制御入力値をそれぞれ演算し、横軸に前記流量値、縦軸に前記ファン回転数制御入力値をとり、前記２基の冷却塔のこれらの値の交点を結んで比例直線を形成した座標を設け、前記任意の２基の冷却塔の流量値の差を当該２基の冷却塔の間の、冷却塔の数＋１で割って隣接する冷却塔間の流量差を算出し、当該流量差によって前記冷却塔群の前記任意の２基の冷却塔以外の各冷却塔の流量値を算出し、当該各流量値を前記座標の比例直線に当てはめて各ファン回転数制御入力値を決定することを特徴とする冷却塔群の省エネルギー運転方法を提供する。
【００１５】
請求項２の発明では、請求項１の発明において、前記任意の２基の冷却塔は、前記冷却塔群における前記冷凍機に対して手前（近い）側と奥（遠い）側に配置された冷却塔であることを特徴としている。
【００１６】
請求項３の発明では、冷凍機に供給する冷却水を冷却するためのファンを有する冷却塔と、当該冷却塔を複数個並べて形成された冷却塔群であって、前記冷却塔の冷却水出口温度を測定する温度計と、前記冷却塔に流入する冷却水の水圧を計測するための圧力計を冷却塔ごとに備え、前記複数個の各冷却塔の前記温度計により測定した冷却水出口温度により前記ファンの回転数を冷却塔ごとに制御し、前記圧力計により測定した水圧から定まる前記冷却塔に流入する冷却水流量が所定流量以下の場合に、前記ファンを停止することを特徴としている。
【００１７】
請求項４の発明では、冷凍機に供給する冷却水を冷却するための冷却塔と、当該冷却塔を複数個並べて形成された冷却塔群であって、前記冷却塔のうち、任意の２基の冷却塔に流量計が備わり、前記任意の２基の冷却塔について当該流量値に応じたファンの回転数制御入力値をそれぞれ演算し、横軸に前記流量値、縦軸に前記ファン回転数制御入力値をとり、前記２基の冷却塔のこれらの値の交点を結んで比例直線を形成した座標を設け、前記任意の２基の冷却塔の流量値の差を当該２基の冷却塔の間の、冷却塔の数＋１で割って隣接する冷却塔間の流量差を算出し、当該流量差によって前記冷却塔群の前記任意の２基の冷却塔以外の各冷却塔の流量値を算出し、当該各流量値を前記座標の比例直線に当てはめて各ファン回転数制御入力値を決定する制御装置を備えたことを特徴とする請求項１又は２に記載の冷却塔群の省エネルギー運転方法に用いる冷却塔群を提供する。
【００１８】
さらに、請求項５の発明では、冷凍機に供給する冷却水を冷却するためのファンを有する冷却塔と、当該冷却塔を複数個並べて形成された冷却塔群であって、前記冷却塔の冷却水出口温度を測定する温度計と、前記冷却塔に流入する冷却水の水圧を計測するための圧力計を冷却塔ごとに備え、前記複数個の冷却塔の前記温度計により測定した冷却水出口温度により前記ファンの回転数を冷却塔ごとに制御し、前記圧力計により測定した水圧から定まる前記冷却塔に流入する冷却水流量が所定流量以下の場合に、前記ファンを停止する制御装置を備えたことを特徴とする冷却塔群の省エネルギー運転方法に用いる冷却塔群を提供する。
【発明の効果】
【００２０】
請求項１の発明によれば、冷却塔に流入する冷却水の流量計測結果に基づいて、ファンの回転数制御を冷却塔ごとに行うため、冷却塔ごとに、冷却水の流量に応じて最適なファンの動力運転が可能となり、無駄なファンの運転をなくして省エネルギーを実現することができる。すなわち、ランニングコストの低減、地球環境保全、ＣＯ２排出量の削減効果が期待できる。また、冷却塔ごとにファン回転数を制御することにより、従来行っていた冷却水を流通させる冷却塔群の数を制御する群数制御を行う必要がなくなる。このため、冷却塔当たりの冷却水流量が減少し、小さいファン風量で効率よく冷却水を冷却することができる。さらに、群数制御が不要になって冷却塔当たりの冷却水流量が減少することに伴い、各冷却塔を流通する配管抵抗が小さくなるため、ポンプ動力を小さくして省エネルギー化を図ることができる。
【００２１】
また、冷却塔群を構成する任意の２基に流入する冷却水の流量を計測し、これらの冷却塔について当該流量に応じたファンの回転数制御入力値をそれぞれ演算し、横軸に前記流量値、縦軸に前記ファン回転数制御入力値をとり、前記２基の冷却塔のこれらの値の交点を結んで比例直線を形成した座標を設け、前記任意の２基の冷却塔の流量値の差を当該２基の冷却塔の間の、冷却塔の数＋１で割って隣接する冷却塔間の流量差を算出し、当該流量差によって前記冷却塔群の前記任意の２基の冷却塔以外の各冷却塔の流量値を算出し、当該各流量値を前記座標の比例直線に当てはめて各ファン回転数制御入力値を決定できるため、簡単な構造で冷却塔ごとに最適なファンの動力運転を行うことができる。
【００２２】
また、請求項２の発明によれば、冷却塔群の両端に配置された、冷凍機に対して手前（近い）側と奥（遠い）側に配置された冷却塔の流量を計測するだけで冷却塔ごとに最適なファンの動力運転を行うことができる。したがって、無駄なファンの運転をなくして省エネルギーを実現することができる。
【００２３】
また、請求項３の発明によれば、複数個の冷却塔の冷却水出口温度によりファンの回転数を冷却塔ごとに制御するため最適なファンの動力運転が可能となる。また、冷却塔に流入する冷却水流量が所定流量以下の場合には、当該冷却塔のファン運転を停止する。このように、冷却塔ごとにファンの動力制御を行うため、無駄なファンの運転を防止して省エネルギーを実現できる。
【００２４】
また、請求項４の発明によれば、冷凍機に対して手前（近い）側と奥（遠い）側に配置された冷却塔に流入する冷却水の流量を計測し、これらの冷却塔について当該流量に応じたファンの動力値をそれぞれ算出し、前記手前（近い）側と奥（遠い）側に配置された前記冷却塔の流量値及びファン回転数制御入力値と比例関係となるように前記手前（近い）側と奥（遠い）側の冷却塔の間に並べられた各冷却塔のファン回転数制御入力値を決定する制御装置を備えるため、冷却塔群の両端に配置される冷却塔の流量を計測するだけで冷却塔ごとに最適なファンの動力運転を行うことができる。したがって、無駄なファンの運転をなくして省エネルギーを実現することができる。
【００２５】
また、請求項５の発明によれば、複数個の冷却塔の冷却水出口温度によりファンの回転数を冷却塔ごとに制御し、冷却塔に流入する冷却水流量が所定流量以下の場合には、当該冷却塔のファン運転を停止する制御装置を備えるため、冷却塔ごとに冷却水の流量に応じた最適なファンの動力運転が可能となり、無駄なファンの運転を防止して省エネルギーを実現できる。
【発明を実施するための最良の形態】
【００２６】
本発明は、冷凍機に供給する冷却水を冷却するためのファンを備えた冷却塔を有し、当該冷却塔を複数個並べて形成した冷却塔群を用いた冷却塔群の省エネルギー運転方法において、前記冷却塔又は前記冷却塔群に流入する冷却水の流量計測結果に基づいて前記ファンの回転数制御を冷却塔ごとに行うことを特徴とする冷却塔群の省エネルギー運転方法及びこれに用いる冷却塔群である。
【実施例１】
【００２７】
図１はこの発明に係る冷却塔群の省エネルギー運転方法に用いる冷却塔群の概略構成図である。
冷却塔群１は、複数個の冷却塔２を並べて配置して構成される。各冷却塔２にはファン８が備わる。各冷却塔群１は冷却水が流通する往き配管３及び還り配管４を介して冷凍機５と接続される。各冷却塔２は、各冷却塔群１内の往き配管３ａ及び還り配管４ａと、それぞれ往き配管３ｂ及び還り配管４ｂで接続される。往き配管３ｂ及び還り配管４ｂにはそれぞれ流量調整のためのバルブ６が備わる。冷却塔群１の両端、すなわち冷凍機５に対して手前（近い）側と奥（遠い）側の冷却塔２ａ，２ｂの往き配管３ｂには、冷却水の流量を計測するための流量計７が備わる。
【００２８】
図１に示した冷却塔群を用いた冷却水の冷却過程を以下に説明する。
空調機等の二次側設備（図示省略）を冷却するための冷水は、冷凍機５で製造され、その排熱を冷却塔から排出することにより冷却水が冷却される。冷凍機からの排熱を得て温度が上昇した冷却水は、流量計９により流量を計測されて往き配管３を通って各冷却塔群１内の往き配管３ａ内に流入する。冷却水は、さらに往き配管３ａから分岐した往き配管３ｂを通って各冷却塔２内に流入する。冷却水はそれぞれ、冷却塔２内で散水され充填物質を伝わって膜状に流下する際に、ファン８により吸引された外気と直接接触することにより冷却される。すなわち、この冷却は、ファン８を回転させることにより、冷却水をファン８で吸い込まれた外気と接触させ、冷却水の一部を蒸発することにより、その時の蒸発潜熱により冷却する。冷却された冷却水は、冷却塔２から還り配管４ｂ、冷却塔群１内の還り配管４ａを通って、還り配管４から冷凍機５内に流入して再び冷凍機から熱を受けて温度上昇する。これらの冷却水の流れはポンプ１０にて形成される。
【００２９】
ファン８の回転数は制御装置１２により制御される。制御装置１２は、両端の冷却塔２ａ，２ｂの往き配管３ｂに備わる流量計７と有線又は無線にて接続され、これらの測定結果により以下に示す方法で各冷却塔２のファン８の回転数を制御する。一方、従来用いていた還り配管４ａに備わる冷却塔群１の冷却水出口温度を測定する温度計１１を用いて、冷却水出口温度により制御する場合は、温度に応じて冷却塔群１に備わる各冷却塔２のファンの回転数を同一にして運転する。本発明は、この従来の冷却塔群の出口温度制御に加えて行うこともできる。
【００３０】
図２は本発明に係る冷却塔群の省エネルギー運転方法に用いる演算手法を説明するためのグラフ図である。
冷却塔１０基を並べて１つの冷却塔群を構成しているとする。両端の冷却塔では、配管抵抗により偏流が生じているため、冷凍機に対して手前（近い）側の冷却塔の冷却水流量ａは奥（遠い）側の冷却塔の冷却水流量ｊよりも多い。この流量値に伴い、最適なファンの回転数制御入力値（ａ’、ｊ’）が求められる。ここで横軸に流量値、縦軸にファン回転数制御入力値をとり、両端の冷却塔のこれらの値の交点を結んで比例直線Ｋを形成する。ここで、ａ〜ｊの間を冷却塔の数（図ではｂ〜ｉの８基）で案分する。この案分した値が各冷却塔ｂ〜ｉの流量値とみなされ、先に作成した比例直線Ｋに基づいてファンの回転数制御入力値が決定される。すなわち、この演算手法は、冷却塔群の両端（冷凍機に対して手前（近い）側と奥（遠い）側）の冷却塔の冷却水流量を測定することにより、その間の冷却塔の流量を決定するものである。これに伴い、各冷却塔でのファン回転数制御入力値が決定される。決定されたファンの回転数制御入力値は、比例関係となる。
【００３１】
なお、最初に流量を測定する冷却塔は冷却塔群の手前（近い）側と奥（遠い）側に限らず、いずれか任意の２基の冷却塔の流量値を基準にして比例直線Ｋを作成し、それ以外の冷却塔のファン回転数制御入力値を決定してもよい。
【００３２】
図３は本発明に係る冷却塔群の省エネルギー運転方法のフローチャート図である。
ステップＳ１：
冷却塔群における冷凍機に対して手前（近い）側と奥（遠い）側に配置された冷却塔に流入する冷却水の流量を計測する。
ステップＳ２：
手前（近い）側と奥（遠い）側の冷却塔について当該流量に応じたファンの回転数制御入力値をそれぞれ演算する。
【００３３】
ステップＳ３：
ステップＳ１で計測した流量値を基準として手前（近い）側と奥（遠い）側の冷却塔の間に並べられた各冷却塔の流量値を決定する。この決定は、手前（近い）側及び奥（遠い）側冷却塔の流量値の間を冷却塔の台数で案分することにより決定する。
ステップＳ４：
ステップＳ３で決定した手前（近い）側と奥（遠い）側の冷却塔の間に並べられた冷却塔の流量値を用いて、ステップＳ１，Ｓ２で計測、算出した流量値及び回転数制御入力値が比例関係となるように手前（近い）側と奥（遠い）側冷却塔の間の冷却塔のファン回転数制御入力値を決定し、各ファンを制御する。
【００３４】
図１で示す制御装置１２は、このようにしてファンの回転数を決定する制御回路を有する。これにより、冷却塔群１の両端に配置される冷却塔２ａ，２ｂの流量を計測するだけで、冷却塔２ごとに、冷却水の流量に応じて最適なファン８の動力運転が可能となり、無駄なファン８の運転をなくして省エネルギーを実現することができる。すなわち、偏流が生じてもこれに対応して確実に最適な動力でファン８を運転することができる。これに伴い、ランニングコストの低減、地球環境保全、ＣＯ２排出量の削減効果が期待できる。
【００３５】
また、冷却塔２ごとにファン８の回転数を制御することにより、従来行っていた冷却水を流通させる冷却塔群１の数を制御する群数制御を行う必要がなくなる。このため、冷却塔群１をすべて使用できるため、各冷却塔群１に流入する冷却水量が少なくなり、配管抵抗が小さくなることに伴い、冷却塔２の一台当たりの冷却水流量が減少し、小さいファン８の風量で効率よく冷却水を冷却することができる。さらに、群数制御が不要になって冷却塔２の一台当たりの冷却水流量が減少することに伴い、各冷却塔２を流通する配管抵抗が小さくなるため、ポンプ１０の動力を小さくでき省エネルギー化を図ることができる。なお、本発明に係る制御方法は、偏流が生じないように何らかの処置をされた冷却塔群１に対しても適用できる。
【００３６】
また、本発明により、冷熱源全体の効率が上がるので、システム全体のシステムＣＯＰが向上する。上述した測定結果から記録されるデータを用いて解析すれば、その時々の最適な各種制御係数（内部パラメータ）が分かるので、機器の経年劣化や配管等の圧力損失増加等で最適なシステムＣＯＰ点がずれたとしても簡単に変更ができ、常にシステムＣＯＰが最大となる運転を継続できる。本発明は、偏流を防止するのではなく、偏流がおきても、流量が少ない冷却塔のファン風量は小さくし、流量が多い冷却塔のファン風量は大きくし、各冷却塔での冷却水流量とファン風量の比率が一定となるように制御するものである。
【実施例２】
【００３７】
図４は本発明に係る別の冷却塔群の省エネルギー運転方法に用いる冷却塔群の概略構成図である。
図示したように、各冷却塔群１を構成する各冷却塔２の往き配管３ｂに圧力スイッチ１３が備わり、還り配管４ｂに温度計１４が備わる。温度計１４は、図１で示した冷却塔群１ごとの出口温度を計測する温度計１１に代えて備えたものであり、各冷却塔２の冷却水出口温度を測定するものである。この冷却塔出口温度を計測し、出口温度が所定温度となるようにファン８の回転数を冷却塔２ごとに制御する。したがって、冷却塔２ごとに冷却水の流量に応じた最適なファン８の動力運転が可能となる。
【００３８】
圧力スイッチ１３は、往き配管３ｂ内を流通する冷却水の水圧を測定するものである。水圧が一定値以下の場合は、冷却水流量が所定値以下、すなわち流量が少ないと判断し、ファン８を停止するものである。この構成により、冷却塔群一体制御から完全な冷却塔ごとの個別制御となり、無駄なファン８の運転を防止して省エネルギーを実現できる。その他の構成、作用、効果は図１と同様である。
【００３９】
図５は本発明に係る別の冷却塔群の省エネルギー運転方法のフローチャート図である。
ステップＴ１：
冷却塔ごとに、冷却水の出口温度を計測し、この計測結果に基づいてファン回転数を制御する。
ステップＴ２：
冷却塔に流入する冷却水の水圧（流量）を計測する。
【００４０】
ステップＴ３：
水圧が所定値以上か以下かの判断をする。所定値以上の場合、ステップＴ２に戻って水圧の計測を続ける。
ステップＴ４：
水圧が所定値以下の場合、冷却塔内に流入する冷却水量が少ないと判断し、ファンを停止する。
【００４１】
図４で示す制御装置１２は、図５で示した方法によりファンの回転数を決定する制御回路を有する。これにより、冷却塔２ごとに、冷却水の流量に応じて最適なファン８の動力運転が可能となり、無駄なファン８の運転をなくして省エネルギーを実現することができる。すなわち、偏流が生じてもこれに対応して確実に最適な動力でファン８を運転することができる。なお、この制御は、定格風量のファンを有する冷却塔と変風量のファンを有する冷却塔が混在していても、ファンを制御する風量制御インバータ台数分（１台のインバータが受け持つファンは複数台でもよい）だけ制御することによっても省エネルギーの効果を得ることができる。
【産業上の利用可能性】
【００４２】
本発明は、種々の冷熱源機の冷却水の冷却に用いられる冷却塔群の省エネルギー運転方法及びこれに用いる冷却塔群として適用できる。
【図面の簡単な説明】
【００４３】
【図１】本発明に係る冷却塔群の省エネルギー運転方法に用いる冷却塔群の概略構成図である。
【図２】本発明に係る冷却塔群の省エネルギー運転方法に用いる演算手法を説明するためのグラフ図である。
【図３】本発明に係る冷却塔群の省エネルギー運転方法のフローチャート図である。
【図４】本発明に係る別の冷却塔群の省エネルギー運転方法に用いる冷却塔群の概略構成図である。
【図５】本発明に係る別の冷却塔群の省エネルギー運転方法のフローチャート図である。
【符号の説明】
【００４４】
１：冷却塔群、２：冷却塔、３，３ａ，３ｂ：往き配管、４，４ａ，４ｂ：還り配管、５：冷凍機、６：バルブ、７：流量計、８：ファン、９：流量計、１０：ポンプ、１１：温度計、１２：制御装置、１３：圧力スイッチ、１４：温度計
【図１】
0004505436.tif 000002
【図２】
0004505436.tif 000003
【図３】
0004505436.tif 000004
【図４】
0004505436.tif 000005
【図５】
0004505436.tif 000006